【事件の表示】
　特願２０００−２９１９３０「デジタルカメラ、画像再生装置及び方法」拒絶査定不服審判事件〔平成１４年　４月　５日出願公開、特開２００２−１０１３２９〕について、次のとおり審決する。
【結　論】
　本件審判の請求は、成り立たない。
【理　由】
１．本願および本願発明
　本願は、平成１２年９月２６日の出願であって、その特許請求の範囲に係る発明は、平成１８年１１月２７日付け手続き補正書により補正された特許請求の範囲の請求項１から請求項１８までの各請求項に係る発明であるところ、これら発明のうち、請求項１４に係る発明（以下これを本願発明という）は、当該請求項１４の次の記載事項により特定されるものである。
「【請求項１４】記録媒体に格納されている画像データを撮影コマごとに読み出して表示装置に画像を表示する画像再生方法において、
　表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、
　前記表示手段の解像度に合わせて画像サイズを調整し、
　前記サイズ調整された画像データを前記準備画像として前記記憶手段に記憶することを特徴とする画像再生方法。」
　
２．引用例１
　原査定の拒絶理由に引用された特開２０００−２０１３２１号公報（平成１２年７月１８日公開、以下、「引用例１」ともいう）には、図面と共に次の記載がある。
　
（引用例１の記載）
「【発明の詳細な説明】
【０００１】
【発明の属する技術分野】本発明は、撮像した画像を再生し、コマ送り表示する機能を備えた電子的撮像装置に関する。
【０００２】
【従来の技術】近年、デジタルカメラと称される電子的撮像装置が広く普及している。
【０００３】デジタルカメラによって撮影された被写体像は、ＣＣＤ素子上に結像し光電処理される。現在では、ＣＣＤ素子の画素数が１４０万以上のものがあり、高解像度での撮影が可能になっている。
【０００４】光電変換処理された映像信号は、デジタルデータとしてメモリカードに記録される。メモリカードに記録された画像は、デジタルカメラに備えられたＬＣＤディスプレイ上に再生することができる。このように、撮像した画像をその場で再生することができることもデジタルカメラの大きな魅力となっている。
【０００５】さらに、デジタルカメラにおいては、撮像した画像をＬＣＤディスプレイ上にフル画面表示した状態で、最新の画像から順にコマ送りすることができる。また、他のデジタルカメラにおいては、複数の縮小画像からインデックス画像から所望の画像を選択し、選択画像をフル画面表示することができる。
【０００６】しかし、フル画面表示する画像（以下「フル画像」と称する）の読込みには例えば数秒を要するので、デジタルカメラの使用者は、このフル画像が表示される間待つ必要がある。
【０００７】インデックス画像から所望の画像を選択してフル画像表示を行う前記技術は、このような待ち時間をできるだけ少なくするために開発された技術である。しかし、画像の選択後は、フル画像の再生表示を待つ必要がある。また、フル画像を表示する待ち時間中に次の画像にコマ送りしたい場合が生じた場合には、次画像を確認するためにはフル画像表示が完了するまで待つ必要がある。
【０００８】特に、近年メモリカードの容量増大により、一枚のメモリカードで２００枚や３００枚もの撮影が可能となっているため、各画像に対するコマ送りアクセス時間の短縮化が強く要望されている。
【０００９】
【発明が解決しようとする課題】本発明は、撮像した画像へのコマ送りアクセス時間の短縮化を図ることのできる電子的撮像装置を提供することを目的とする。
【００１０】本発明の他の目的は、メモリカードに格納された多数枚の画像へのアクセスをさらに高速化することのできる電子的撮像装置を提供することを目的とする。」
　
「【００２５】
【発明の実施の形態】図面を参照して本発明の実施の形態を説明する。
【００２６】図１は、デジタルカメラ１の外観図であって、図１の（ａ）は右斜め後方の上面側から見た斜視図、図１の（ｂ）は左側方から見た正面図である。
【００２７】図１において、デジタルカメラ１の本体２（カメラ本体）には、前面左側に撮影レンズ等の結像光学系を内蔵する突出部３が設けられており、後面左側にはファインダ４、右側面部には使用者がカメラ本体２を把持するためのグリップ部５が設けられている。
【００２８】グリップ部５には、カメラ本体２の後面右側に凹部６が設けられており、この凹部６は使用者が右手で握持した場合の持ち易さを考慮して右手親指付け根部に適合した形状となっている。使用者は、さらに左手でカメラ本体２の左側を下側より支持することによって、安定性を向上させることができる。
【００２９】ファインダ４の下方に位置するカメラ本体２の後面には例えばＴＦＴ−ＬＣＤ等の液晶モニタからなる表示部７が設けられている。使用者は、前記ファインダ４を通してだけでなく、この表示部７を通しても被写体像を視認することができるようになっている。
【００３０】カメラ本体２の後面中央部にはメニュー表示を行うためのメニューキー８と、十字キー９と、確定キー１０とが設置されている。これらのキー８〜１０は使用者がグリップ部５を右手で把持したままでも右手親指で操作できる位置に設けられている。
【００３１】ここで、十字キー９にはメニュー表示中の表示項目の選択を、確定キー１０にはメニュー表示中の表示項目の確定、実行を行う機能が割り付けられている。
【００３２】また、カメラ本体２の前面右側上部には、シャッタボタン１２及びズームボタン１３が、ともに使用者がグリップ部５を右手で把持したままでも右手人差し指で操作可能な位置に設定されている。さらに、カメラ本体２の図１の（ａ）中右側面部下方にはメモリーカード挿入部１４があり、カバー部１５を閉じることによりメモリーカードの外部離脱及び塵埃の侵入等を防ぐことができるようになっている。」
　
「【００３４】このように構成されたデジタルカメラ１を用いて撮像した画像を再生する場合、図２に示す各モードで画像を表示することができる。図２の（ａ）はフル画像表示、図２の（ｂ）はサムネイル画像表示、図２の（ｃ）はインデックス画像表示である。なお、下記の実施形態において、フル画像とは、記録時の画像の品質に基づく画像データをいう。ここで、記録画像の品質としては、例えば、ＳＱ（標準：例えば６４０×５１２画素）、ＨＱ（高品質：例えば８００×６４０画素）、ＳＨＱ（高精細：例えば１２８０×１０２４画素）の品質があり、ＳＱからＳＨＱの品質になるに従って、画質が向上する。また、サムネイル画像とは、縮小画像を表示するための縮小画像データである。インデックス画像とは、複数のサムネイル画像を表示部７に同時に表示した画像をいう。
【００３５】フル画像（図２の（ａ））は、例えばおよそ１００万画素程度の元画像を１０万画素程度に縮小して再生される。一方、サムネイル画像（図２の（ｂ））は表示画面に対して、例えば１／９サイズで写す画像であり、ＥＸＩＦ規格では１９２００画素となっている。また、インデックス画像（図２の（ｃ））は、サムネイル画像を表示部の画面全体に撮像順或いはその逆に並べて表示してなる画像である。
【００３６】フル画像はサムネイル画像と比べて画素数が多いため高精細であり、鑑賞等に適している。一方サムネイル画像は、画面に複数のサムネイル画像を並べてインデックス画像として表示することが可能であり、画像間の比較や所望の画像の選択に適している。また、画像情報をメモリに読み込んで表示するまでの時間、すなわち再生時間は、画素数においてフル画像再生の場合には数秒、サムネイル画像再生の場合には１／１００秒のオーダーが必要である。
【００３７】また、図２の（ｃ）に示すインデックス画像（９つのサムネイル画像）を表示している状態において、前記十字キー９の上下キーには、現在のインデックス画像の表示画面に表示されていない前後９つのサムネイル画像からなるインデックス画像に切替える機能が割り付けられており、その左右キーには、現在のインデックス画像中、任意のコマ画像を選択可能にする機能（コマ送り機能）が割り付けられている。
【００３８】また、前記フル画像が表示されている状態において、前記十字キー９の左右キーには、コマ送り機能が割り付けられている。
【００３９】（デジタルカメラの回路ブロック図）図３はデジタルカメラ１の回路構成を表わしたブロック図である。」
　
「【００４５】このように処理された画像データは、前記撮像回路２４から表示回路３３に出力され、動画像として直接表示部７に再現される。また、前記シャッタボタン１２が押されたことに基づき、記録回路３０が作動し、前記撮像回路２４からの画像をフル画像とサムネイル画像の静止画データとに分けてカード制御部３１に装着された着脱可能なメモリカードに圧縮して記録する。
【００４６】（画像再生の制御系統とコマ送り機能）次に、このデジタルカメラの再生機能を、図３及び図４のフローチャートに示した再生処理手順を参照して説明する。なお、本実施形態におけるメモリカードに記憶された画像枚数は２００枚であるとする。また、図３では、図１に示したメニューキー８、十字キー９、確定キー１０等の各種入力手段をまとめて入力インタフェース２７と表わしている。
【００４７】入力インタフェース２７を通じて画像再生の指令を入力した場合、コントローラ２６は、図３に示す再生部３２を作動させ、再生処理を開始する（ステップＳ１）。この場合において、メモリカードに記録された画像データはカード制御部３１を介して一旦内蔵メモリ３４に記録される。そして、この内蔵メモリ３４から順次データが再生部３２に読み出される。
【００４８】この再生処理において、まず、コントローラ２６は、メモリカード中の画像枚数を取得し、最も古い撮影画像から順にコマ番号を割り振っていく（ステップＳ２）。本実施形態においては一番古い撮影画像は「１」、一番新しい撮影画像は「２００」のコマ番号が割り振られる。
【００４９】ついで、表示回路３３は、一番新しいコマ番号「２００」のサムネイル画像の再生処理を開始した後に(ステップＳ３)、サムネイル画像を表示する（ステップＳ４）。そして、現在表示されているサムネイル画像と同じコマ番号に対応するフル画像の読み込みを開始する（ステップＳ５）。
【００５０】サムネイル画像の表示処理は、メモリカードに記憶されたサムネイル画像データを内蔵メモリ３４に読み込み、読み込んだデータが圧縮データの場合には伸長処理した後に表示部７に表示することにより行われる（以下、メモリカードから画像を読み出して表示部に表示するまでの処理を「読み込み処理」と称する）。この表示は前述したように、１／１００秒のオーダで完了し、表示部７には、図２の（ｂ）に示すようにフル画像の１／９のサイズのサムネイル画像がコマ番号「２００」と共に表示される。この場合において、サムネイル画像は、フル画像の１／９のサイズに限らず任意のサイズで表示可能である。
【００５１】一方、フル画像データを読み出して伸長処理して表示するために、図示しないＶＲＡＭ（ビデオＲＡＭ）に格納する読み込み処理を行うためには数秒を要する。フル画像データの読み込み処理が終了するまで（ステップＳ１２）、ステップＳ６〜ステップＳ１２が繰り返される。
【００５２】すなわち、コントローラ２６は、フル画像の読み込み処理が終了するまでの間、十字キー９の左右キーが操作されたかどうかの検知を行う。そして、右キーが操作された場合（ステップＳ６）、コンローラ２６は、再生部３２に対してフル画像の読み込み処理を中断するように指令を発する（ステップＳ７）。ついで、コマ番号をインクリメントとし（現在コマ番号に１をプラスしたものを選択コマ番号とし）し、ステップＳ３に戻る（ステップＳ８）。
【００５３】すなわち、フル画像の読み込み処理中にコマ送りの指令が与えられたならば、前記表示回路３３は、現在のフル画像の読み込み処理を即座に中止する。そして、インクリメントされたコマ番号に対応するサムネイル画像を表示する（ステップＳ４）と共に、同番号に対応するフル画像の読み込み処理を開始する（ステップＳ５）。
【００５４】なお、左キーが押された場合には（ステップＳ９）、右キーの場合と同様の手順によりコマ番号をデクリメントしてステップ３に戻る（ステップＳ１０，Ｓ１１）。
【００５５】一方、左右キーが操作されないままフル画像の読み込み処理が終了したならば（ステップＳ１２）、前記コントローラ２６は、前記表示部７にサムネイル画像に変えてフル画像を表示する（ステップＳ１３）。
【００５６】次に、コントローラ２６は、入力インタフェース２７を通じて、例えばシャッタボタン１２もしくはズームボタン１３からの所定の入力の検知を行なう( ステップＳ１４) 。そして、所定の入力があれば、所定の動作により、撮影動作或いは表示されているフル画像のズーム動作を行なうが、本発明の要旨に関係しないのでその詳しい説明は省略する。
【００５７】ステップＳ１４において所定の入力がない場合には、コントローラ２６は、フル画像の表示後も、十字キー９の左右キーが操作されたかどうかの検知を行う（ステップＳ１５，ステップＳ１７）。そして、いずれかのキーが操作された場合、コンローラ２６は、コマ番号をインクリメント（ステップＳ１６）若しくはデクリメント（ステップＳ１８）し、ステップＳ３に戻って次のサムネイル画像の表示及びフル画像の読み込み処理を開始する。
【００５８】本実施形態では、コマ送り動作において、時間のかかるフル画像の読み込み処理動作中にサムネイル画像を表示しておき、フル画像の読み込み処理が終了した時点でサムネイル画像に変えてフル画像を表示している。
【００５９】そして、フル画像の読込み処理中にコマ送り等の操作がなされたならば、その時点でフル画像の読込み処理を中止し、最後に出力されたコマ選択信号に対応するサムネイル画像の表示を行い、そのサムネイル画像に対応するフル画像の読み込み処理を開始する。
【００６０】このような構成によれば、コマ送りを高速で行なうことができ、しかも使用者はサムネイル画像で画像内容を確認できる効果がある。」
（引用例１の記載、以上）
　
　これらの記載によると、引用例１には、電子的撮像装置に関する技術が記載されている。
　引用例１記載の電子的撮像装置は、
　「フル画像とは、記録時の画像の品質に基づく画像データをいう。ここで、記録画像の品質としては、例えば、ＳＱ（標準：例えば６４０×５１２画素）、ＨＱ（高品質：例えば８００×６４０画素）、ＳＨＱ（高精細：例えば１２８０×１０２４画素）の品質があり、ＳＱからＳＨＱの品質になるに従って、画質が向上する。」（【００３４】）、
　「フル画像（図２の（ａ））は、例えばおよそ１００万画素程度の元画像を１０万画素程度に縮小して再生される。」（【００３５】）
　のであり、その再生処理において、
　「メモリカードに記録された画像データはカード制御部３１を介して一旦内蔵メモリ３４に記録される。そして、この内蔵メモリ３４から順次データが再生部３２に読み出される。」（【００４７】）、
　「一番新しいコマ番号「２００」のサムネイル画像の再生処理を開始した後に(ステップＳ３)、サムネイル画像を表示する（ステップＳ４）。そして、現在表示されているサムネイル画像と同じコマ番号に対応するフル画像の読み込みを開始する（ステップＳ５）。」（【００４９】）、
　「メモリカードから画像を読み出して表示部に表示するまでの処理を「読み込み処理」と称する」（【００５０】）
　「フル画像の読み込み処理中にコマ送りの指令が与えられたならば、前記表示回路３３は、現在のフル画像の読み込み処理を即座に中止する。そして、インクリメントされたコマ番号に対応するサムネイル画像を表示する（ステップＳ４）と共に、同番号に対応するフル画像の読み込み処理を開始する（ステップＳ５）」（【００５３】）、
　「左キーが押された場合には（ステップＳ９）、右キーの場合と同様の手順によりコマ番号をデクリメントしてステップ３に戻る（ステップＳ１０，Ｓ１１）。」（【００５４】）、
　「左右キーが操作されないままフル画像の読み込み処理が終了したならば（ステップＳ１２）、前記コントローラ２６は、前記表示部７にサムネイル画像に変えてフル画像を表示する（ステップＳ１３）。」（【００５５】）、
　「フル画像の表示後も、十字キー９の左右キーが操作されたかどうかの検知を行う（ステップＳ１５，ステップＳ１７）。そして、いずれかのキーが操作された場合、コンローラ２６は、コマ番号をインクリメント（ステップＳ１６）若しくはデクリメント（ステップＳ１８）し、ステップＳ３に戻って次のサムネイル画像の表示及びフル画像の読み込み処理を開始する。」（【００５７】）、
　「コマ送り動作において、時間のかかるフル画像の読み込み処理動作中にサムネイル画像を表示しておき、フル画像の読み込み処理が終了した時点でサムネイル画像に変えてフル画像を表示している。」（【００５８】）
　「フル画像の読込み処理中にコマ送り等の操作がなされたならば、その時点でフル画像の読込み処理を中止し、最後に出力されたコマ選択信号に対応するサムネイル画像の表示を行い、そのサムネイル画像に対応するフル画像の読み込み処理を開始する。」（【００５９】）
　ものであり、
　「コマ送りを高速で行なうことができ、しかも使用者はサムネイル画像で画像内容を確認できる効果がある。」（【００６０】）ものである。
　
　このような、引用例１の電子的撮像装置の再生処理の技術は、画像再生方法ということもでき、引用例１には、上記の引用例１の電子的撮像装置の再生処理の技術に係る画像再生方法の発明（引用例１に記載された発明、以下、「引用発明」ともいう）が記載されていると認められる。
　
３．対比、一致点および相違点
（１）対比
　本願発明と引用発明とを対比する。
　
　ア．「記録媒体に格納されている画像データを撮影コマごとに読み出して表示装置に画像を表示する画像再生方法」
　
　引用発明は、「メモリカードに記録された画像データはカード制御部３１を介して一旦内蔵メモリ３４に記録される。そして、この内蔵メモリ３４から順次データが再生部３２に読み出され」（【００４７】）、「メモリカードから画像を読み出して表示部に表示するまでの処理を「読み込み処理」と称する」（【００５０】）、「コマ送り動作において、時間のかかるフル画像の読み込み処理動作中にサムネイル画像を表示しておき、フル画像の読み込み処理が終了した時点でサムネイル画像に変えてフル画像を表示している。」（【００５８】）のであるから、「記録媒体に格納されている画像データを撮影コマごとに読み出して表示装置に画像を表示する」ものであるといえる。
　
　イ．「表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、前記表示手段の解像度に合わせて画像サイズを調整し、前記サイズ調整された画像データを前記準備画像として前記記憶手段に記憶する」
　
　本願発明のこの構成は、「表示対象となる表示対象画像を変更する指示（画像の変更指示）が入力された時には、」「指示に応じた画像を前記表示手段に表示（し）」する際に、「液晶モニタ５２或いはテレビ受像機などに画像を表示するために（は、画像サイズを適切に調整する処理が必要となる。）」（【００３５】）「前記表示手段の解像度に合わせて画像サイズを調整（し）」するとともに、「再生表示する際に生じる待ち時間を軽減するとともに、再生画像を迅速に確認することができる」（本願明細書【０００５】）ために設けられる構成である。
　
　引用発明における「コマ送りの指令」（「十字キー９の左右キー」の操作）は、「表示対象となる表示対象画像を変更する指示」ということができる。そして、十字キー９の左右キーの「いずれかのキーが操作された場合、・・・次のサムネイル画像の表示及びフル画像の読み込み処理を開始する。」のであるから、引用発明も本願発明同様に「画像の変更指示が入力された時には、」「指示に応じた画像を前記表示手段に表示（し）」するものということができる。
　また、引用発明は「フル画像とは、記録時の画像の品質に基づく画像データをいう。ここで、記録画像の品質としては、例えば、ＳＱ（標準：例えば６４０×５１２画素）、ＨＱ（高品質：例えば８００×６４０画素）、ＳＨＱ（高精細：例えば１２８０×１０２４画素）の品質があり、ＳＱからＳＨＱの品質になるに従って、画質が向上する。」（【００３４】）、「フル画像（図２の（ａ））は、例えばおよそ１００万画素程度の元画像を１０万画素程度に縮小して再生される。」（【００３５】）のであり、「図２の（ａ）はフル画像表示」（【００３４】）であって、画面いっぱいに画像が表示されるよう図示されていること、通常、引用例１記載のような電子的撮像装置（デジタルカメラ）の表示部は、撮像素子に比べて解像度が低いものであることからみて、引用発明の「フル画像（図２の（ａ））は、例えばおよそ１００万画素程度の元画像を１０万画素程度に縮小して再生される。」ことは、本願発明同様に「前記表示手段の解像度に合わせて画像サイズを調整（し）」することということができ、その“サイズを調整された画像データの画像を表示する”ものといえる。この画像の表示について、本願発明も「前記記憶手段に記憶（する）」された「サイズ調整された画像データ」である「準備画像を読み出して表示手段に提供し」て表示するから、“サイズを調整された画像データの画像を表示する”ということができる。
　そして、引用発明は、「コマ送りを高速で行なうことができ、しかも使用者はサムネイル画像で画像内容を確認できる（効果がある。）」（【００６０】）ために、「時間のかかるフル画像の読み込み処理動作中にサムネイル画像を表示しておき、フル画像の読み込み処理が終了した時点でサムネイル画像に変えてフル画像を表示」（【００５８】）するものであって、引用発明の「コマ送りを高速で行なうことができ、しかも使用者はサムネイル画像で画像内容を確認できる（効果がある。）」は本願発明同様に「再生表示する際に生じる待ち時間を軽減するとともに、再生画像を迅速に確認する」ということができるから、引用発明は本願発明同様に「再生表示する際に生じる待ち時間を軽減するとともに、再生画像を迅速に確認することができる」）ための構成を有するといえる。
　そうすると、本願発明と引用発明とは、「画像の変更指示が入力された時には、」「指示に応じた画像を前記表示手段に表示（し）」する際に、「前記表示手段の解像度に合わせて画像サイズを調整（し）」“サイズを調整された画像データの画像を表示する”とともに、「再生表示する際に生じる待ち時間を軽減するとともに、再生画像を迅速に確認することができる」ための構成を有する点で一致するといえる。
　もっとも、「画像の変更指示が入力された時には、」「指示に応じた画像を前記表示手段に表示（し）」する際に、「再生表示する際に生じる待ち時間を軽減するとともに、再生画像を迅速に確認することができる」ための構成が、本願発明では「表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、前記表示手段の解像度に合わせて画像サイズを調整し、前記サイズ調整された画像データを前記準備画像として前記記憶手段に記憶する」ことであることに対し、引用発明では、「時間のかかるフル画像の読み込み処理動作中にサムネイル画像を表示しておき、フル画像の読み込み処理が終了した時点でサムネイル画像に変えてフル画像を表示」することである点で相違する。
　
（２）一致点および相違点
　以上の対比結果によれば、本願発明と引用発明との一致点、相違点は次のとおりである。
　
［一致点］
　記録媒体に格納されている画像データを撮影コマごとに読み出して表示装置に画像を表示する画像再生方法において、
　画像の変更指示が入力された時には、指示に応じた画像を前記表示手段に表示し、
　前記表示手段の解像度に合わせて画像サイズを調整し、サイズを調整された画像データの画像を表示するとともに、
　再生表示する際に生じる待ち時間を軽減するとともに、再生画像を迅速に確認することができるための構成を有することを特徴とする画像再生方法。
　
［相違点］
　画像の変更指示が入力された時には、指示に応じた画像を前記表示手段に表示する際に、「再生表示する際に生じる待ち時間を軽減するとともに、再生画像を迅速に確認することができる」ための構成が、本願発明では「表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、前記表示手段の解像度に合わせて画像サイズを調整し、前記サイズ調整された画像データを前記準備画像として前記記憶手段に記憶する」ことであることに対し、引用発明では、「時間のかかるフル画像の読み込み処理動作中にサムネイル画像を表示しておき、フル画像の読み込み処理が終了した時点でサムネイル画像に変えてフル画像を表示」することである点。
　
４．判断
（１）引用例２
　原査定の拒絶理由に引用された特開昭６２−２７１１７８号公報（以下、「引用例２」ともいう）には、図面と共に次の記載がある。
　
（引用例２の記載）
「３．発明の詳細な説明
〔産業上の利用分野〕
　本発明は、画像情報検索方式に関し、特に複数ページからなる文書単位の画像情報を短時間で検索するための検索方式に関する。
〔従来の技術〕
　通信回線を介して上位装置に記憶されている画像情報を検索し、該当する情報を読出す検索方法において、複数ページからなる文書を検索する場合、従来は、オペレータのキー入力により１ページずつＣＲＴディスプレイ画面に表示し、現在表示中のページ、次のページと読出しており、場合によっては前のページを読出すこともある。このような検索方法では、通信回線の転送時間の遅さと画像情報のデータ量の膨大さにより、極めて多くの時間を要している。」（１頁左欄１４行〜右欄９行）
　
「このように、従来の検索方法は、記憶されている画像情報のタイトルをいかに速く検索し、所要の画像情報を探索するかということに重点が置かれていた。しかし、膨大なデータ量の画像情報を記憶装置から検索装置に転送する場合、待合せ時間を利用することにより、検索してから出力されるまでの時間を少しでも短縮し、利用者の待ち時間を少なくすることについては、あまり配慮されていない。」（１頁右欄１５行〜２頁左上欄３行）
　
「〔問題点を解決するための手段〕
　上記目的を達成するため、本発明の画像情報検索方式は、記憶装置に記憶された画像情報を検索して読出し、出力装置に出力あるいは表示する画像情報検索方式において、先読みのための画像バッファを有し、複数ページの画像情報を選択して検索する場合、複数ページのうちの任意のページの画像情報を出力あるいは表示中に、該ページを中心としてその前後数ページの画像情報を先読みして、上記画像バッファに格納しておくことに特徴がある。
〔作　　用〕
　本発明においては、複数ページの画像情報を選択して検索する際に、現在出力装置に出力中のページの前後数ページの画像情報を常に記憶装置から先読みして、検索装置内のバッファメモリに格納しておく。これにより、次ページまたは前ページの出力要求からそのページの画像情報が出力装置に出力されるまでの時間、つまり利用者の待ち時間を短縮することができる。
〔実施例〕
　以下、本発明の実施例を、図面により詳細に説明する。第２図は、本発明の画像検索方式を用いた検索装置のブロック図であり、第３図は第２図のさらに詳細なブロック構成図である。第２図に示すように、検索装置は主制御装置１と検索すべき画像情報が格納されている画像記憶装置１１と利用者が検索指示を与えるためのキーボード７と、選択されたページを表示するＣＲＴディスプレイ装置８と、読出したページを印刷するハードコピー装置９とから構成される。なお、１０は印刷されたハードコピーである。
　第２図に示すように、主制御装置１は、各種制御を行うＣＰＵ２と、メインメモリ３と、少なくとも原稿数ページ分の画像情報に対応する記憶容量を備えた画像バッファ４と、画像情報の圧縮および伸長を行う圧縮・伸長回路５と１画像情報を記憶する画像記憶装置１１とこの画像情報検索装置を結ぶ通信回線を制御する通信制御部６とから構成されている。」（２頁左上欄１９行〜左下欄１８行）
　
「本実施例においては、第１図に示すように、利用者から検索指令を受け取ると（１０１）、最初のページの文書を選択して読出した後、画像バッファ４に格納し（１０２）、これを出力装置に出力あるいは表示する（１０３）。それと並行して、２〜ｎページの文書を検索し、読出した後、画像バッファ４に格納しておく（１０４）。次に、この２〜ｎページの表示出力指示があったか否かを判別する（１０５）。出力指示があった場合には、２〜ｎページの出力表示を行い（１０６）、また出力指示がなかった場合には、画像バッファ４に空きかあるか否かを屑べる（１０７）。また、（１０６）で出力または表示した場合にも、（１０７）の処理を行う。空きがある場合には、（１０４）に戻って、表示した次の２〜ｎペ一ジ分の画像情報を検索して画像バッファ４に格納しておく。また、空きがなければ、待機状態となる（１０８）。このように、本実施例では、画像バッファ４に空きがある限り、１つのページが出力あるいは表示中に、次のページからｎページまでを画像バッファ４に格納しておくのである。ここで、ｎはバッファ４のメモリ容量で決定される値である。従って、あるページが出力あるいは表示中には、そのページの前後数ページがバッファ４に格納されていることになる。そして、順次検索指示が進んでいくと、最も古い画像情報が消去され、新しい情報に口換えられる。
　このようにして、本実施例においては、画像記憶装置と転送速度の遅い通信回線で接続された画像情報検索装置で、複数ページからなる文書の画像情報を検索した際に、現在出力装置で出力あるいは表示中のページの前後数ページの画像情報をバッファに予め格納しておくため、これらを出力装置に出力あるいは表示するまでの時間を格段に短縮することができる。従って、利用者は、従来より短時間で、現在出力装置に出力あるいは表示中のページの前後数ページの画像情報を検索し、これらを出力装置に出力あるいは表示することが可能である。
〔発明の効果〕
　以上説明したように、本発明によれば、画像記憶装置に記憶されている画像情報の中から、複数ページからなる文書の画像情報を選択して検索する際に、現在出力装置に出力あるいは表示中のページの前後数ページ分の画像情報が予め読出されて格納されるため、これらを従来より短時間で出力装置に出力あるいは表示することができる。」（３頁左下欄２行〜４頁左上欄７行）
（引用例２の記載、以上）
　
　これらの記載によると、引用例２には、「複数ページからなる文書を検索する場合、従来は、オペレータのキー入力により１ページずつＣＲＴディスプレイ画面に表示し、現在表示中のページ、次のページと読出しており、場合によっては前のページを読出すこともある。このような検索方法では、通信回線の転送時間の遅さと画像情報のデータ量の膨大さにより、極めて多くの時間を要している。」（１頁右欄２〜９行）という問題意識の下に、「次ページまたは前ページの出力要求からそのページの画像情報が出力装置に出力されるまでの時間、つまり利用者の待ち時間を短縮する」（２頁右上１５欄〜１８行）ために、画像記憶装置１１から「最初のページの文書を選択して読出した後、画像バッファ４に格納し（１０２）、これを出力装置に出力あるいは表示する（１０３）。それと並行して、２〜ｎページの文書を検索し、読出した後、画像バッファ４に格納しておく（１０４）。次に、この２〜ｎページの表示出力指示・・があった場合には、２〜ｎページの出力表示を行」（３頁左下欄３〜１１行）うことで、「現在出力装置で出力あるいは表示中のページの前後数ページの画像情報をバッファに予め格納しておくため、これらを出力装置に出力あるいは表示するまでの時間を格段に短縮することができる。」（３頁右下欄１１〜１５行）という技術が記載されている。
　
　この引用例２記載の技術において、
　「最初のページの文書」（現在出力装置で出力あるいは表示中のページ）は、現在表示中であるから、「現在の表示対象画像」ということができ、
　「２〜ｎページの文書」（現在出力装置で出力あるいは表示中のページの前後数ページの画像情報）は「並行して」表示する「最初のページの文書」（現在出力装置で出力あるいは表示中のページ）以外の画像情報ということができ、
　「２〜ｎページの表示出力指示」は、それにより、「最初のページの文書」（現在出力装置で出力あるいは表示中のページ）から「２〜ｎページ」へと表示される画像情報が変更されるから、「表示対象となる表示対象画像を変更する指示」ということができ、
　「この２〜ｎページの表示出力指示・・があった場合には、２〜ｎページの出力表示を行」うのであるから、「画像バッファ４に格納しておく」「２〜ｎページの文書」（現在出力装置で出力あるいは表示中のページの前後数ページの画像情報）は、表示出力指示があった場合に出力表示されるために準備される「表示用の準備画像」ということができ、
　「２〜ｎページの表示出力指示」が行われる前に、「２〜ｎページの文書を検索し、読出した後、画像バッファ４に格納しておく」のであるから、
　引用例２記載の技術における、画像記憶装置１１から「最初のページの文書を選択して読出した後、画像バッファ４に格納し（１０２）、これを出力装置に出力あるいは表示する（１０３）。それと並行して、２〜ｎページの文書を検索し、読出した後、画像バッファ４に格納しておく（１０４）。次に、この２〜ｎページの表示出力指示・・があった場合には、２〜ｎページの出力表示を行」（３頁左下欄３〜１１行）うことは、
　本願発明の「表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、」に相当する技術であるということができる。
　
（２）引用発明への適用
　引用例１に記載された発明（引用発明）は、上記本願発明との対比で述べたように、「コマ送りを高速で行なうことができ、しかも使用者はサムネイル画像で画像内容を確認できる（効果がある。）」（【００６０】）ために、「時間のかかるフル画像の読み込み処理動作中にサムネイル画像を表示しておき、フル画像の読み込み処理が終了した時点でサムネイル画像に変えてフル画像を表示」（【００５８】）するものであって、引用発明の「コマ送りを高速で行なうことができ、しかも使用者はサムネイル画像で画像内容を確認できる（効果がある。）」は本願発明同様に「再生表示する際に生じる待ち時間を軽減するとともに、再生画像を迅速に確認する」ということができるものであるところ、
　引用例２記載の技術の「次ページまたは前ページの出力要求からそのページの画像情報が出力装置に出力されるまでの時間、つまり利用者の待ち時間を短縮する」ことは、「再生表示する際に生じる待ち時間を軽減する」ということもでき、結果として、「再生画像を迅速に確認する」ことができるともいうことができるものであって、引用例１と共通する課題および効果を有するものということができる。
　そうすると、引用発明において、「コマ送りを高速で行なうことができ、しかも使用者はサムネイル画像で画像内容を確認できる（効果がある。）」（【００６０】）ためになしている「時間のかかるフル画像の読み込み処理動作中にサムネイル画像を表示しておき、フル画像の読み込み処理が終了した時点でサムネイル画像に変えてフル画像を表示」（【００５８】）することに代えて、引用例２記載の技術を採用することは、当業者が容易に想到できることといえる。
　そして、引用発明は、やはり、上記本願発明との対比で述べたように、「前記表示手段の解像度に合わせて画像サイズを調整（し）」することということができるものであり、その“サイズを調整された画像データの画像を表示する”ものといえるのであるところ、引用発明に引用例２記載の技術を採用する際に、引用例２記載の技術において指示によって表示することとなる画像データである、「２〜ｎページの表示出力指示」が行われる前に「画像バッファ４に格納しておく」「２〜ｎページの文書」も、それが表示される画像データであるから、引用発明において表示する画像データをサイズ調整するように「前記表示手段の解像度に合わせて画像サイズを調整し」て格納しておくことは、当業者が容易に想到できることといえ、この「２〜ｎページの表示出力指示」が行われる前に「画像バッファ４に格納しておく」「２〜ｎページの文書」も「前記表示手段の解像度に合わせて画像サイズを調整し」て格納しておくことは、本願発明の「前記表示手段の解像度に合わせて画像サイズを調整し、前記サイズ調整された画像データを前記準備画像として前記記憶手段に記憶すること」に相当するということができる。
　
（３）本願発明の容易性
　以上のようであるから、引用発明に、本願発明の「表示対象となる表示対象画像を変更する指示を入力する前に、現在の表示対象画像以外の画像データを前記記録媒体から読み出して表示用の準備画像として記憶手段に記憶しておき、画像の変更指示が入力された時には、前記記憶手段から当該指示に該当する準備画像を読み出して表示手段に提供し、指示に応じた画像を前記表示手段に表示し、」に相当する引用例２記載の技術を採用し、「２〜ｎページの表示出力指示」が行われる前に「画像バッファ４に格納しておく」「２〜ｎページの文書」も「前記表示手段の解像度に合わせて画像サイズを調整し」て格納しておくことで「前記表示手段の解像度に合わせて画像サイズを調整し、前記サイズ調整された画像データを前記準備画像として前記記憶手段に記憶すること」とすることは、当業者が容易に想到できることといえ、本願発明の相違点に係る構成は、当業者が容易に想到することができることということができる。
　そして、そのような構成とすれば、本願発明の効果を奏することも当業者が容易に予測、発見できることといえる。
　したがって、本願発明は、引用発明および引用例２記載の技術に基づいて、当業者が容易に発明をすることができたものといえる。
　
５．むすび
　以上のとおりであるから、本願の請求項１４に係る発明は、引用例１および引用例２に記載された発明に基づいて当業者が容易に発明をすることができたものであって、特許法第２９条第２項の規定により特許を受けることができない。
　よって、本願の請求項１ないし１３、および、請求項１５ないし１８に係る発明について検討するまでもなく、本願は拒絶すべきものである。
　よって、結論のとおり審決する。